(57)【特許請求の範囲】
【請求項１】
障子と枠とを備え、障子はアルミニウム製框の室内側を中空部を有する樹脂製カバーで覆ってあり、框の室内側面には反り防止金具が取付けてあり且つ反り防止金具は樹脂製カバーの中空部内に収納してあり、枠は反り防止金具を受ける金具受けを備え、反り防止金具は係止部材とばねとを備え、係止部材はばねにより障子の外周側に向けて付勢されて樹脂製カバーに当接してあり、火災時に樹脂製カバーが焼失したときに、係止部材がばねの付勢力により障子の外周側に突出して金具受けの室内側で金具受けに対向することを特徴とするアルミ樹脂複合障子のサッシ。
【発明の詳細な説明】
【技術分野】
【０００１】
本発明は、アルミ樹脂複合障子のサッシに関する。
【背景技術】
【０００２】
特許文献１には、枠に受け金具を設け、框に係合金具を設けて、障子を閉じたときに係合金具が室外側から受け金具に係合することにより、火災時に樹脂製枠や樹脂製框が溶融し又は焼失しても、障子を枠に吊り下げて保持できるようにしたことが開示されている。
【先行技術文献】
【特許文献】
【０００３】
【特許文献１】特開２００６−３０７５７２号公報
【発明の概要】
【発明が解決しようとする課題】
【０００４】
しかし、特許文献１のサッシでは火災時に枠に障子を保持できたとしても、火災の熱により障子が室外側に反り、枠と障子との間に室内外を連通する空間が生じて、この空間から室内の炎を外に噴出したり外気が室内に入り込んで火災を拡大するそれがあった。
【０００５】
そこで、本発明は、火災時に障子の室外側への反りを防止して、障子と枠との間に室内外を連通する空間ができるのを防止するアルミ樹脂複合障子のサッシの提供を目的とする。
【課題を解決するための手段】
【０００６】
請求項１に記載の発明は、障子と枠とを備え、障子はアルミニウム製框の室内側を中空部を有する樹脂製カバーで覆ってあり、框の室内側面には反り防止金具が取付けてあり且つ反り防止金具は樹脂製カバーの中空部内に収納してあり、枠は反り防止金具を受ける金具受けを備え、反り防止金具は係止部材とばねとを備え、係止部材はばねにより障子の外周側に向けて付勢されて樹脂製カバーに当接してあり、火災時に樹脂製カバーが焼失したときに、係止部材がばねの付勢力により障子の外周側に突出して金具受けの室内側で金具受けに対向することを特徴とするアルミ樹脂複合障子のサッシである。
【発明の効果】
【０００７】
請求項１記載の発明によれば、火災時に、アルミ樹脂複合障子の樹脂製カバーが溶融し又は消失すると、バネにより付勢されている係止部材が障子の外周側に突出して金具受けの室内側に対向して位置し、障子の室外側への移動を規制するので、障子の反りを防止して障子と枠との間に室内外を連通する空間ができるのを防止する。
また、係止部材が枠に設けた金具受けの室内側に対向して位置することにより、障子の室外側への移動が規制されるので、障子の脱落や振れを防止できる。
係止部材はばねによる付勢力で樹脂製カバーに当接していることにより、樹脂材は経年劣化し難いから、例えば温度ヒューズによる係止部材の突出を抑える場合に比較して、経年劣化による誤作動が生じ難い。
反り防止金具は樹脂製カバーの中空部内に収められているから、反り防止金具を框の室内側面に取付けて、樹脂製カバーを框に被せることで、容易に組み立てができる。
反り防止金具は、樹脂製カバー内に納められており、外部から見えないので、外観が良い。
【図面の簡単な説明】
【０００８】
【図１】本発明の実施の形態にかかるアルミ樹脂複合障子のサッシの縦断面図である。
【図２】本発明の実施の形態にかかるアルミ樹脂複合障子のサッシの横断面図である。
【図３】反り防止金具を収納した上框樹脂製カバーを切断して示す正面図である。
【図４】反り受け金具の図であり、（ａ）は正面図であり、（ｂ）は側面図である。
【図５】コーナ金具の図であり、（ａ）は正面図であり、（ｂ）は側面図であり、（ｃ）は平面図である。
【発明を実施するための形態】
【０００９】
以下に、添付図面を参照して本発明の実施の形態を詳細に説明する。図１及び図２に示すように、本実施の形態に係るアルミ樹脂複合障子のサッシ１は、すべり出しサッシであり、障子３はアルミニウム製形材の上框５、下框７及び左右の竪框９、９をガラス４の四周に框組してあり、各框の室内側には樹脂製形材（樹脂製カバー）６が取付けてある。枠１１はアルミニウム製の上枠１３、下枠１５及び左右の竪枠１７、１７を枠組してあり、室内側には樹脂製形材（樹脂製カバー）１８が取付けてある。
図２に示すように、左竪框９と左竪枠１７との間及び右竪框９と左竪枠１７との間には各々障子３を室外側に吊り出すステー（支持具）１９が設けてある。
図１に示すように、障子３の下框７の上部には、ガラス４の下端部を保持するガラス保持溝２１が設けてあり、ガラス保持溝２１の下方には中空部２３が形成されている。ガラス保持溝２１にはガラス４の下端部を覆うスチール製のガラス保持溝補強材２５が配置されており、中空部２３には、スチール製の下框補強材２７が設けてあり、ガラス保持溝補強材２５は、下框補強材２７にねじ２８で固定してある。ガラス保持溝補強材２５の上面には、ガラス下端面に対向する第１熱膨張耐火材３２ａがガラス保持溝補強材２５の長手方向に全体に亘って設けてある。ガラス保持溝補強材２５は下框７の左右端部を除いてガラス保持溝２１内に載置されており、下框７のガラス保持溝２１の溝底において、ガラス保持溝補強材２５がない左右端部には各々排水穴が形成されている。下框補強材２７の左右端部において、下框７の排水穴が対向する位置に第２熱膨張耐火材３２ｂが配置されている。
下框７の下面には、スチール製の下補助板２９がねじ３０で固定してある。下補助板２９は下框７に取付けてある樹脂製形材６の長手方向に亘って樹脂製形材６の下面を覆っている。
【００１０】
上框５の下部にもガラス保持溝２１が設けてあり、ガラス保持溝２１の上部には中空部２３が形成されている。上框５のガラス保持溝２１にはガラス４の上端部を覆うスチール製のガラス保持溝補強材２５が配置されており、ガラス保持溝補強材２５は上框５にねじ２６で固定してある。ガラス保持溝補強材２５の下面にはガラス上端面に対向する第１熱膨張耐火材３２ａがガラス保持溝補強材２５の長手方向に全体に亘って設けてある。
上框５の上面には、スチール製の上補助板３１がねじ３４により上框５に固定してある。上補助板３１は、上框５に取付けてある樹脂製形材６の長手方向に亘って樹脂製形材６の上面を覆っているが、下記する反り防止金具３３が設けてある位置は除いてある。
【００１１】
上框５に取付けてある樹脂製形材６には、中空部６ａが形成してあり、この中空部６ａ内には、スチール製の反り防止金具３３が設けてある。
反り防止金具３３は、図３に示すように、台座３４と、係止部材３５と、ばね３７とを備えており、係止部材３５の基端部３５ａを台座３４に回動自在に軸支してありばね３７により、係止部材３５の先端部３５ｂが上方に向けて回動するように付勢しており、係止部材３５の先端部３５ｂは樹脂形材６の中空部６ａ内で上壁に当接して、中空部６ａ内に保持されている。
【００１２】
図２に示すように、左右の竪框９、９には、各々ガラス保持溝２１に上述したスチール製のガラス保持溝補強材２５が設けてあり、中空部９ａにはスチール製の竪框補強材３９が設けてあり、ガラス保持溝補強材２５と竪框補強材３９とはねじ４０により固定されている。ガラス保持溝補強材２５には、左右のガラス端面に対向する第１熱膨張耐火材３２ａがガラス保持溝補強材２５の長手方向に全体に亘って設けてある。
また、各竪框９のガラス保持溝２１の室内側壁には、その室外側面にガラス保持溝補強材２５に対向する第１２熱膨張耐火材３２ｍが設けてある。
【００１３】
図１及び図４に示すように、上枠１３には反り防止金具３３を受ける反り防止金具受け４１固定してあり、反り防止金具受け４１の受け金４１ａが下方に向けて突設してある。また、図１に示すように、上枠１３には、第３熱膨張耐火材３２ｃを保持する熱膨張耐火材保持具４３が上枠１３の見込方向略中央でねじ固定されている。熱膨張耐火材保持具４３には室内側に延出する保持部４３ａが形成してあり、保持部４３ａは上框５の室内側見付面と見込面とのコーナ部５ｃに近接するように傾斜している。熱膨張耐火材保持具４３の保持部４３ａに第３熱膨張耐火材３２ｃが設けてあり、第３熱膨張耐火材３２ｃは上補助板３１の上面に対向していると共に、上框５の室内側見付面と見込面とのコーナ部５ｃに室内側で対向している。
下枠１５には、第４熱膨張耐火材３２ｄを保持する熱膨張耐火材保持具４３が下枠１５の見込方向略中央でねじ固定されている。熱膨張耐火材保持具４３は室内側で枠内周側に延出する保持部４３ａが形成してあり、保持部４３ａは下框７の室内側見付面と見込面とのコーナ部７ｃ且つ近接するように傾斜している。下枠１５の第４熱膨張耐火材３２ｄは下補助板２９の下面に対向して設けてあると共に、下框７の室内側見付面と見込面とのコーナ部７ｃに室内側で対向している。
下枠１５には、室外側壁の長手方向一端部側に排水穴４２が設けてあり、この排水穴４２に対応する位置に断面略Ｌ字形状を成す熱膨張耐火材保持具４４が設けてあり、排水穴４２に対向する位置に第５熱膨張耐火材３２ｅが設けてある。
【００１４】
図２に示すように、左右の竪枠１７、１７には、各々は、下端部の見込面に熱膨張耐火材保持具４５がねじで固定してあり、竪框９の見込面に対向する位置に第６熱膨張耐火材３２ｆが設けてある。第６熱膨張耐火材３２ｆは、ステー１９がある位置ではステー１９に対向している。
障子３において、ガラス４の各コーナ部には、図５に示すコーナ金具４７が設けてある。コーナ金具４７のガラス４側面には、図１及び図２に示すように、第１３熱膨張耐火材３２ｎが設けてある。
尚、上述した第１熱膨張耐火材３２ａ及び下述する第１２熱膨張耐火材３２ｍ、第１３熱膨張耐火材３２ｎには熱が伝わり難い箇所に設けてあるので低温熱発泡体（約１６０℃で発泡を開始する）が用いられており、その他の熱膨張耐火材、即ち第２熱膨張耐火材３２ｂ〜第１１熱膨張耐火材３２ｋには一般的は熱発泡体（約２００℃で発泡を開始する）が用いられている。
【００１５】
次に、本実施の形態にかかるアルミ樹脂複合障子のスイング系サッシ１の作用効果について、説明する。
図１に示すように、火災時に、アルミ樹脂複合障子３の樹脂形材６が焼け落ちた場合でも、火災の熱により下枠１５に設けた第４熱膨張耐火材３２ｄが膨張して下框７の下補助板２９に当接して、下框７と下枠１５との間の空間を塞ぐ。これにより、火災時にアルミ樹脂複合障子３の下框７と下枠１５との間から外気が室内に入り込んだり、室内の炎を外に噴出するのを防止できる。
障子の上框５と上枠１３との間では、第３熱膨張耐火材３２ｃが膨張して上補助板３１に当接して、上框５と上枠１３との間の空間を塞ぐ。したがって、上框５と上枠１３との間においても、火災時にこれらの間から外気が室内に入り込んだり、室内の炎を外に噴出するのを防止できる。
上枠１３に設けた第３熱膨張耐火材３２ｃ及び下枠１５に設けた第４熱膨張耐火材３２ｄは、室内側において各々障子３の見込面と室内側見付面とのコーナ部５ｃ、７ｃに対向して設けてあると共に火災の熱により膨張して室内側からコーナ部５ｃ、７ｃに当接する。これらの熱膨張耐火材３２ｃ、３２ｄは、火災の熱により膨張して室内側からコーナ部５ｃ、７ｃに当接する位置にあるから、障子との距離が最も近い位置に配置でき、火災時に膨張したときに上枠１３及び下枠１５と、障子３との間を確実に且つ容易に塞ぐことができる。
【００１６】
上下左右の框５、７、９、９には、ガラス保持溝２１内にスチール製のガラス保持溝補強材２５が設けてあり、ガラス保持溝補強材２５によりガラスの四周を保持しているので、火災時にアルミニウム製の框５、７、９、９が溶けた場合でもガラス４を保持して、ガラス４の脱落を防止できる。
更に、各ガラス保持溝補強材２５にはガラス端面に対向して第１熱膨張耐火材３２ａが設けてあり、火災時に第１熱膨張耐火材３２ａが熱膨張してガラス４の端面との間を塞ぐから、ガラス保持溝補強材２５とガラス端面との間から、外気が室内に入り込んだり室内の炎を外に噴出するのを防止できる。
また、コーナ金具４７に設けた第１３熱膨張耐火材３２ｎがガラスコーナ部との間を塞ぎ、竪框９ではガラス保持溝２１の室内側面に設けた第１２熱膨張耐火材３２ｍが竪框９の室内側壁とガラス保持溝補強材２５との間を塞ぐ。
【００１７】
図１に示すように、本発明のサッシ１は、上框５の樹脂製形材６の中空部６ａ内には、反り防止金具３３が設けてあり、樹脂製形材６が焼け落ちると、図３に二点鎖線で示すように、係止部材３５がばね３７に付勢されて上框５の上方に突出し、図１に示すように、上枠１３の金具受け４１の室内側に対向して位置する。これにより、火災時に障子が熱により反ろうとすると係止部材３５が金具受け４１に当接して障子の反りを防止し、枠１１と障子３との間に大きな隙間できるのを防止できるため、框５、７、９と枠１１との間の空間を塞ぐ熱膨張耐火材３２ｃ、３２ｄ、３２ｆのはたらきと相俟って、効果的に延焼を防止できる。
また、係止部材３５が上枠１３の金具受け４１の室内側に対向して位置することにより障子３の室外側への移動が規制されるので、障子３の脱落や振れを防止できる。
反り防止金具３３は、樹脂製形材６内に収納されて、係止部材３５はばね３７による付勢力で樹脂壁に当接しており、樹脂材は経年劣化し難いから、例えば温度ヒューズによる係止部材３５の突出を抑える場合に比較して、経年劣化による誤作動が生じ難い。
反り防止金具３３は樹脂製形材６の中空部６ａ内に収められているから、反り防止金具３３を上框５の室内側面に取付けて、樹脂製形材９を上框５に被せることで、容易に組み立てができる。
反り防止金具３３は、樹脂製形材６内に納められており、外部から見えないので、外観が良い。
下枠１５では第５熱膨張耐火材３２ｅが膨張して排水穴４２を塞ぐので、かかる排水穴４２から外気が室内に入り込んだり、室内の炎を外に噴出するのを防止できる。また、下框７のガラス保持溝２１の溝底に設けた排水穴は、第２熱膨張耐火材３２ｂで塞ぐことができる。
図２に示すように、竪框９と竪枠１７との間では、ステー１９のないところでは、第６熱膨張耐火材３２ｆが膨張して竪框９と竪枠１７との間を塞ぎ、ステー１９があるところでは、第７熱膨張耐火材３２ｇが熱膨張耐火材保持具４５とステー１９との間を塞ぐので、竪框９と竪枠１７との間を熱膨張耐火材３２ｆ及び３２ｇにより塞ぎ、外気が室内に入り込んだり、室内の炎を外に噴出するのを防止できる。
【００１８】
本発明は、上述した実施の形態に限らず、本発明の要旨を逸脱しない範囲で種々変形可能である。
例えば、反り防止金具３３は、上框５のみに設けることに限らず、下框７にも設けても良いし、また左右の竪框９、９にのみ設けても良いし、障子の四周の框５、７、９、９に設けても良い。
反り防止金具３３において、係止部材３５はばね３７に付勢されて回動することに限らず、例えば、縮めたコイルスプリング等により棒状の係止部材３５を外周側に向けて付勢するものであっても良い。
アルミ樹脂複合障子のサッシ１は、すべり出しサッシに限らず、外倒しサッシ、突き出しサッシ、開きサッシ、回転サッシや引き違いサッシ等であっても良く、障子の開き形式に制限されない。
下框７の補助板２９はスチール材に限らず、アルミニウム等の他の金属材やカーボン材であっても良く、樹脂製形材６よりも融点が高いものであれば良い。
上框５には上補助板３１を設けずに、下框７にのみ下補助板２９を設けるものであっても良い。
【符号の説明】
【００１９】
１    アルミ樹脂複合障子のサッシ
３    障子
５    上框
６    樹脂製形材（樹脂カバー）
１３  上枠
３３  反り防止金具
３５  係止部材
３７  ばね
４１  金具受け
【図１】
0005719742.tif 000002
【図２】
0005719742.tif 000003
【図３】
0005719742.tif 000004
【図４】
0005719742.tif 000005
【図５】
0005719742.tif 000006